(57)【要約】      （修正有）【課題】屈曲しやすく、踏み付け部が足の動きに追従し易く、あおり歩行し易い靴底とその靴底を備えた靴を提供する。【解決手段】靴底１の少なくとも踏み付け部３に歩行を容易にする屈曲部６が形成され、屈曲部６は靴底１に形成された溝７と穴の双方又はいずれか一方と、それらを形成することにより靴底１の他の部分よりも肉薄に形成された屈曲肉薄部１０とにより構成され、前記屈曲肉薄部１０の肉厚は靴底横幅方向外側（靴幅外側８）よりも靴底横幅方向内側（靴幅内側９）が肉薄である。屈曲部６を靴底１の他の部分よりも肉薄に形成された屈曲肉薄部１０と、屈曲肉薄部１０に突設された二以上の底突起間の空間部により形成し、前記屈曲肉薄部１０の肉厚は靴幅外側８よりも靴幅内側９が肉薄である。【選択図】図１
2015100551.tif 000002
【特許請求の範囲】
【請求項１】
靴の本底として利用可能な靴底において、
靴底の少なくとも踏み付け部に歩行を容易にする屈曲部が形成され、
屈曲部は靴底に形成された溝と穴の双方又はいずれか一方と、それらを形成することにより靴底の他の部分よりも肉薄に形成された屈曲肉薄部とにより構成され、
前記屈曲肉薄部の肉厚は靴底横幅方向外側（靴幅外側）よりも靴底横幅方向内側（靴幅内側）が肉薄に形成された、
ことを特徴とする靴底。
【請求項２】
靴の本底として利用可能な靴底において、
靴底の少なくとも踏み付け部に歩行を容易にする屈曲部が形成され、
屈曲部は靴底の他の部分よりも肉薄に形成された屈曲肉薄部と、屈曲肉薄部に突設された二以上の底突起間の空間部により形成され、
前記屈曲肉薄部の肉厚は靴幅外側よりも靴幅内側が肉薄である、
ことを特徴とする靴底。
【請求項３】
靴の本底として利用可能な靴底において、
靴底の少なくとも踏み付け部に歩行を容易にする屈曲部が形成され、
屈曲部は靴底の少なくとも踏み付け部の外周部に、その外周部に沿って断続的に設けた、多数の溝と、その溝を設けることにより靴底に形成された屈曲肉薄部により構成され、
屈曲肉薄部は靴幅外側の溝よりも靴幅内側の溝が深くなって、屈曲肉薄部の靴幅内側肉厚が靴幅外側肉厚よりも肉薄である、
ことを特徴とする靴底。
【請求項４】
請求項１から請求項３のいずれか１項に記載の靴底において、
屈曲肉薄部が靴幅外側から靴幅内側に向けて次第に又は段階的に肉薄である、
ことを特徴とする靴底。
【請求項５】
請求項１から請求項３のいずれか１項に記載の靴底において、
屈曲肉薄部が靴幅外側から靴幅内側の拇趾球接触部付近に向けて次第に又は段階的に肉薄である、
ことを特徴とする靴底。
【請求項６】
請求項１、請求項４、請求項５のいずれか１項に記載の靴底において、
屈曲肉薄部の肉厚が、溝の深さを靴幅外側よりも靴幅内側に深くすることにより、靴幅外側よりも靴幅内側が薄くなっている、
ことを特徴とする靴底。
【請求項７】
請求項１、請求項４、請求項５、請求項６のいずれか１項に記載の靴底において、
溝が靴幅外側から靴幅内側まで一連に横断する連続溝、又は靴幅外側から靴幅内側の間で断続する断続溝、又は靴幅内側から靴幅外側途中まで形成された途中溝のいずれかである、
ことを特徴とする靴底。
【請求項８】
請求項１、請求項４、請求項５のいずれか１項に記載の靴底において、
穴が靴幅外側から靴幅内側まで一連に横断する連続穴、又は靴幅外側から靴幅内側の間で断続する断続穴、又は靴幅内側から靴幅外側途中まで形成された途中穴のいずれかである、
ことを特徴とする靴底。
【請求項９】
請求項１、請求項４、請求項５、請求項８のいずれか１項に記載の靴底において、
穴が靴幅外側から靴幅内側に向けて靴底肉厚方向に次第に又は断続的に深くなって、
屈曲肉薄部の肉厚（穴の上下の合計肉厚）が靴幅外側よりも靴幅内側が薄い、
ことを特徴とする靴底。
【請求項１０】
請求項１、請求項４から請求項９のいずれか１項に記載の靴底において、
溝又は穴、又は溝と穴が、靴底の少なくとも踏み付け部に、靴底の前後方向に間隔をあけて二列以上設けられた、
ことを特徴とする靴底。
【請求項１１】
請求項１、請求項４、請求項５、請求項８から請求項１０のいずれか１項に記載の靴底において、
穴に靴底の材質よりも屈曲性に優れた材質の充填材が充填された、
ことを特徴とする靴底。
【請求項１２】
請求項１０記載の靴底において、
二列以上設けられた溝と穴が、溝列と穴列を一列置きに交互に又は数列置きに設けられた、
ことを特徴とする靴底。
【請求項１３】
靴底を備えた靴において、
靴底が、請求項１から請求項１２のいずれか１項に記載の靴底である、
ことを特徴とする靴。
【発明の詳細な説明】
【技術分野】
【０００１】
本発明は、紳士靴や運動靴等の各種靴の本底（靴底）とその靴底を備えた靴に関し、特に、屈曲性に優れ、歩行し易い靴底とその靴底を備えた靴に関する。
【背景技術】
【０００２】
紳士靴や婦人靴、運動靴といった各種靴が抱える課題の一つとして歩き易さの改善がある。効率良く、疲れにくい歩き方としてあおり歩行が知られている。あおり歩行とは歩行時や走行時の足の動きのことをいい、図９（ａ）（ｂ）に示すように、踵−小趾球−踏み付け部（拇趾球〜小趾球のあたり）−足趾の順に着地する一連の動きのことをいう。したがって、あおり歩行し易い靴が歩き易い靴に繋がる。そのためには、靴底が足の動きにつれて着地し易く（靴底が屈曲し易く）、引き上げ易い（屈曲した靴底が返り易い：戻り易い）ことが望まれる。従来、屈曲性を向上させるため、底面に一又は二以上の横溝が形成された靴底（特許文献１〜３）が提案されている。
【先行技術文献】
【特許文献】
【０００３】
【特許文献１】特開２００４−２５４９０２号公報
【特許文献２】特開２００１−７０００４号公報
【特許文献３】特開２００１−６１５０６号公報
【発明の概要】
【発明が解決しようとする課題】
【０００４】
前記特許文献１〜３は、靴底の底面に一又は二以上の横溝を形成して靴の屈曲性を向上させ、あおり歩行をスムーズにすることを期待するものであるが、必ずしも期待に応え得るものとはいえない。
【０００５】
本発明の解決課題は、屈曲性と返りに優れ、あおり歩行し易い靴底とその靴底を備えた靴を提供することにある。
【課題を解決するための手段】
【０００６】
本発明の靴底は、靴の本底として利用可能な靴底において、靴底の少なくとも踏み付け部に歩行を容易にする屈曲部（屈曲部は湾曲部を含む：明細書、特許請求の範囲及び要約書において同じ）が形成されている。屈曲部は、靴底横幅方向に溝と穴のいずれか一方又は双方を形成することにより形成される。具体的には、靴底横幅方向に溝が形成される場合は、その溝と、溝を形成することにより靴底の他の部分よりも肉薄になった靴底部分（屈曲肉薄部）とにより構成される。靴底横幅方向に穴が形成される場合は、その穴と、穴を形成することにより靴底の他の部分よりも肉薄になった靴底部分（屈曲肉薄部：この部分の肉厚は穴の上下の合計肉厚）とにより構成される。前記屈曲肉薄部の肉厚は、靴底横幅方向外側（以下「靴幅外側」という）よりも靴底横幅方向内側（以下「靴幅内側」という）が肉薄に形成されている。
【０００７】
本発明の靴底は、靴の本底として利用可能な靴底において、靴底の少なくとも踏み付け部に歩行を容易にする屈曲部が形成され、屈曲部は靴底の一部を靴底の他の部分よりも肉薄にし、その付近に二以上の突起（底突起）を突設することにより形成される。具体的には、靴底の他の部分よりも肉薄の部分（屈曲肉薄部）と、前記二以上の底突起間（周囲を含む）の空間部により形成される。この屈曲部の肉厚は靴幅外側よりも靴幅内側が肉薄である。
【０００８】
本発明の靴底は、靴の本底として利用可能な靴底において、靴底の少なくとも踏み付け部に歩行を容易にする屈曲部が形成され、屈曲部は靴底の少なくとも踏み付け部の外周部に多数の溝を前記外周部に沿って断続的に設けることにより形成される。具体的には、前記溝と、その溝を形成することにより靴底の他の部分よりも肉薄になった靴底部分（屈曲肉薄部）とにより構成される。屈曲肉薄部は、靴幅外側の溝よりも靴幅内側の溝を深くすることにより、靴幅内側の屈曲肉薄部が靴幅外側の屈曲肉薄部よりも肉薄に形成されている。
【０００９】
前記いずれの屈曲肉薄部も、靴幅外側から靴幅内側に向けて次第に又は段階的に肉薄にすることができる。
【００１０】
前記いずれの屈曲肉薄部も、靴幅外側から靴幅内側の拇趾球接触部付近に向けて次第に又は段階的に肉薄にすることもできる。
【００１１】
前記溝は靴幅方向に横長であり、靴幅外側よりも靴幅内側が深くなって、屈曲部の肉厚が靴幅外側よりも靴幅内側が薄くなるようにすることができる。
【００１２】
前記溝は靴幅外側から靴幅内側まで一連に横断する連続溝、又は靴幅外側から靴幅内側の間で断続する断続溝、又は靴幅内側から靴幅外側途中まで形成された途中溝のいずれであってもよい。
【００１３】
前記穴は靴底肉厚内に形成され、靴幅外側から靴幅内側まで一連に横断する連続穴、又は靴幅外側から靴幅内側の間で断続する断続穴、又は靴幅内側から靴幅外側途中まで形成された途中穴のいずれであってもよい。前記夫々の穴は靴幅外側から靴幅内側に向けて靴底肉厚方向に次第に又は断続的に深くなって、屈曲肉薄部の肉厚（穴の上下の合計肉厚）が、靴幅外側よりも靴幅内側が薄いものである。前記溝又は穴、又は溝と穴が、靴底の少なくとも踏み付け部に、靴底の前後方向に間隔をあけて二列以上設けることができる。
【００１４】
前記穴には、靴底の材質よりも屈曲性に優れた材質の充填材が充填しておくこともできる。
【００１５】
二列以上設けられた溝と穴は、溝列と穴列を一列置きに交互に設けるとか、数列置きに設けることもできる。
【００１６】
本発明の靴は、前記いずれかの靴底が取り付けられたものである。この靴はグッドイヤーウェルト製法、セメンテッド製法、マッケイ製法、ステッチダウン製法等のいずれの製法で製作されたものであってもよい。
【発明の効果】
【００１７】
本発明の靴底及び靴には、次の効果がある。
（１）靴底の屈曲肉薄部が、靴幅外側（小指側）よりも靴幅内側（親指側）が薄く、且つ、溝或いは穴があるため歩行時に靴の靴幅内側が靴幅外側に比べて屈曲し易くなり、靴幅外側が靴幅内側よりも厚いため歩行時の返りも良くなって、あおり歩行し易くなり（踏みこみ易く、返り易くなり）、従来の靴底よりも歩行や走行がスムーズにできる。
（２）靴底の屈曲肉薄部が、靴幅外側から拇趾球相当部側に向けて薄く形成された場合は、より一層、あおり歩行し易くなる。
（３）靴底に設けた二本以上の溝の深さを、靴幅外側から靴幅内側に向けて深くして、屈曲肉薄部を靴幅外側よりも靴幅内側を薄くした場合は、歩行時に、足が前記溝に沿って土踏まず部側から拇趾球接触部付近に向けて屈曲するため、より一層、あおり歩行し易くなる。
（４）靴底に穴をあけて屈曲肉薄部を薄くした場合も、前記と同様の効果がある。
（５）踏み付け部の外周部に設けた多数の溝の深さを、靴幅外側よりも靴幅内側を深くして、屈曲肉薄部を靴幅外側よりも靴幅内側を薄くした場合も、前記と同様の効果がある。
（６）前記靴底を備えた靴は、前記靴底の効果を備えた靴となる。
【図面の簡単な説明】
【００１８】
【図１】靴底に多数本の溝を設けた場合の一例を示すものであって、（ａ）は底面図、（ｂ）は（ａ）の左側面図、（ｃ）は（ａ）の右側面図。
【図２】図１の靴底を使用した靴（左足用）の部分説明図。
【図３】靴底に幅の広い溝を数本設けた場合の一例を示すものであって、（ａ）は底面図、（ｂ）は（ａ）の左側面図、（ｃ）は（ａ）の右側面図。
【図４】靴底に穴を数本設けた場合の一例を示すものであり、（ａ）は底面図、（ｂ）は（ａ）の左側面図、（ｃ）は（ａ）の右側面図、（ｄ）は（ｂ）の部分拡大図。
【図５】図４の穴に充填材が充填された靴底を用いた靴（左足用）の部分説明図。
【図６】靴底の外周部に多数の溝を設けた場合の一例を示すものであって、（ａ）は底面図、（ｂ）は（ａ）の左側面図、（ｃ）は（ａ）の右側面図。
【図７】靴底に多数の底突起を設けた場合の一例を示すものであって、（ａ）は底面図、（ｂ）は（ａ）の左側面図、（ｃ）は（ａ）の右側面図。
【図８】本発明の靴（右足用）の一例であって、（ａ）は内側斜視図、（ｂ）は外側斜視図。
【図９】（ａ）は歩行時の足のあおり歩行の説明図、（ｂ）は歩行時に足裏にかかる荷重の移動経緯を示す説明図。
【発明を実施するための形態】
【００１９】
（靴底の実施形態１）
本発明の靴底１の実施形態の一例を図１（ａ）〜（ｃ）及び図２を参照して説明する。本発明の靴底１は他の部分の肉厚よりも肉薄な屈曲薄肉部１０を備え、屈曲薄肉部１０の靴幅内側９を靴幅外側８よりも薄くして、屈曲部６が「あおり歩行」時の足裏の動きに追随して屈曲し易くなるようにしたものである。本実施形態及び以下の実施形態における屈曲部６は前記課題を解決するための手段において定義したとおりである。
【００２０】
図１の靴底１は靴着用時に足の足趾部分が当たる足趾接触部２と、足の踏み付け部（前足部：親指の付け根付近）が当たる踏み付け部３と、足の土踏まず部分に相当する土踏まず部（中足部）４と、足の踵部分が当たる踵部（後足部）５を備える（この構造は以下の全ての実施形態の靴底において同じ）。本発明の靴底１は紳士靴や運動靴といった各種靴の本底として図２に示すように使用可能なものである（この使用形態も以下の全ての実施形態において同じ）。
【００２１】
この実施形態では、靴底１の横幅方向に溝７を形成して靴底１の他の部分よりも一段窪ませ、その溝部分の靴底肉厚を靴底の他の部分よりも肉薄にすることにより屈曲肉薄部１０を形成し、この屈曲肉薄部１０と溝７で屈曲部６を形成してある。溝７は靴幅方向に横長であり、靴底の前後方向に一定（略一定を含む：以下同じ）間隔で多数本設けられている。溝７は図１（ｂ）（ｃ）に示すように、靴幅外側８から靴幅内側９に向けて次第に深くして、屈曲肉薄部１０の靴幅外側８の肉厚Ｌ1（図１（ｂ））よりも靴幅内側９の肉厚Ｌ２（図１（ａ））の方が次第に薄くなるようにしてある。このような肉厚構造とすることにより、歩行時に靴幅内側９が靴幅外側８に比べて屈曲し易くなり、返りも良くなるため、あおり歩行し易くなって（踏みこみ易く、返り易くなって）、歩行や走行がスムーズにできるようにしてある。
【００２２】
図１（ａ）の溝７は靴底１の靴幅外側８から靴幅内側９まで一連に横断する均一幅の直線状の連続溝であるが、溝７はあおり歩行し易くなれば、その形状、本数、深さ、間隔、横幅、長さ、形成領域、形成位置等は任意に設定することができる。例えば、形状は波型状や弧状等であってもよく、溝幅は靴底の靴幅外側８から靴幅内側９に向けて次第に幅広くすることもできる。また、溝７の形状は横長溝に限らず、他の形状、例えば、ダイヤ形の溝や亀甲形の溝などが横長溝となるように一列に配列させたものであってもよい。
【００２３】
図１（ａ）の溝７は靴底１の裏面略全面（全域）に形成されているが、溝７は靴底１の踏み付け部３付近にだけ設けたり、歩行時に屈曲し易くなる部分、例えば、足のＭＰ関節（足趾の付け根付近）が当たる部分（ＭＰ関節接触部）の付近や、拇趾球が当たる部分（拇趾球接触部）の付近にだけ設けたりすることもできる。溝７は靴幅外側８から靴幅内側９まで断続的に設けた断続溝とすることもできる。溝７は靴幅外側８からＭＰ関節接触部、拇趾球接触部に向けて、次第に連続的に又は段階的に深くして、屈曲肉薄部１０が次第に薄くなるようにすることもできる。
【００２４】
（靴底の実施形態２）
本発明の靴底１の実施形態の他例を図３（ａ）〜（ｃ）を参照して説明する。この実施形態の靴底１の基本的構造は実施形態１の靴底１と同様である。実施形態１の靴底１と異なるのは、靴底１の裏面に形成された溝７の形状、形成位置、本数、長さである。この内側７は靴底１の踏み付け部３から土踏まず部４までの間に、間隔をあけて四本設けてあり、靴幅内側９から靴幅外側８までの全長を横断することなく、靴幅内側面９ａにのみ開口するように形成してある。
【００２５】
図３（ａ）〜（ｃ）の溝７は靴幅外側８から靴幅内側９に向けて次第に幅広くし、更に、溝７を靴幅外側８から靴幅内側９に向けて次第に深くして、屈曲肉薄部１０の靴幅外側８の肉厚Ｌ１よりも靴幅内側９の肉厚Ｌ２の方が次第に薄くなるようにしてある。このような肉厚構造とすることにより、歩行時に、靴の靴幅内側９が靴幅外側８に比べて屈曲し易くなり、返りも良くなるため、あおり歩行し易くなって、歩行や走行がスムーズにできるようにしてある。溝７は靴底１の横幅方向に均一幅とすることもできる。溝７の形状は直線状や弧状、波形状といった形状であってもよく、本数や間隔も任意に設定することができる。この溝７は靴幅外側８から靴幅内側９まで断続的に設けた断続溝とすることもできる。溝７は靴幅外側８からＭＰ関節接触部、拇趾球接触部に向けて、次第に連続的に又は段階的に深くして、屈曲肉薄部１０が次第に薄くなるようにすることもできる。
【００２６】
（靴底の実施形態３）
本発明の靴底１の実施形態の他例を、図４（ａ）〜（ｄ）を参照して説明する。この実施形態の靴底１の基本的構造も、実施形態１の靴底１と同様である。
【００２７】
図４（ａ）〜（ｃ）の靴底１は、実施形態１及び２の溝７の代わりに、靴幅方向に貫通する穴（横穴）１１を開口して屈曲肉薄部１０を形成してある。横穴１１は靴幅外側８から靴幅内側９に向けて次第に幅広く形成されている。横穴１１の深さを、靴幅内側９よりも靴幅外側８を深くして、靴底1の屈曲肉薄部１０の肉厚（穴の上下の合計肉厚Ｌ３＋Ｌ４：図４（ｄ））が靴幅外側８よりも靴幅内側９が薄くなるようにしてある。このような肉厚構造とすることにより、歩行時に、靴幅内側９が靴幅外側８に比べて屈曲し易くなり、返りも良くなるため、あおり歩行し易くなって、歩行や走行がスムーズにできるようにしてある。
【００２８】
図示した横穴１１は靴底１の靴幅内側９から靴幅外側８まで連続する長穴であるが、横穴１１は靴底１の靴幅内側９から靴幅外側８の間に断続する断続穴であってもよく、靴底１の靴幅内側９から靴幅外側８の途中まで連続する途中穴であってもよい。また、穴１１の形状は前記した以外であってもよく、例えば、真円形、楕円形などの丸穴、或いは、正方形、長方形などの角穴であってもよい。
【００２９】
前記穴は、ＭＰ関節接触部付近にだけ設けたり、靴幅外側８から靴底の拇趾球接触部に向けて設けたり、拇趾球接触部を挟んだ爪先側と踵側にだけ設けたりすることもできる。図５に示すように、横穴１１には靴底１よりも屈曲性に優れた材質又は構造の充填材１２を充填しておくこともできる。このような材質、構造の充填材１２を充填することにより、横穴１１内への雨水の進入を防止でき、屈曲性が阻害されない。
【００３０】
（靴底の実施形態４）
本発明の靴底１の実施形態の他例を、図６（ａ）〜（ｃ）を参照して説明する。この実施形態の靴底１は、多数の突片１３と溝１４を外周面１５に沿って一定間隔で交互に設けて、溝１４と、その溝１４を形成することにより靴底の他の部分よりも肉薄になる屈曲肉薄部１０とにより屈曲部６を形成してある。溝１４は靴底１の外周面１５に開口している。これら溝１４のうち少なくとも土踏まず部４よりも爪先側の溝１４は、靴幅外側８よりも靴幅内側９のものが深く形成されて、屈曲肉薄部１０の肉厚が靴幅外側８の肉厚よりも靴幅内側９の肉厚が薄くなるようにしてある。このような肉厚構造とすることにより、歩行時に屈曲部６の靴幅内側９が靴幅外側８に比べて屈曲し易くなり、返りも良くなるため、あおり歩行し易くなって、歩行や走行がスムーズにできるようにしてある。
【００３１】
靴底１の外周の突片（外側突片）１３の内側には十字状の突片（内側突片）１６が数個突設されている。これら外側突片１３、内側突片１６は靴底１のうちＭＰ関節接触部や拇趾球接触部を回避して設けて、靴底１の屈曲性と返りが阻害されないようにするのがよい。外側突片１３の形状、内側突片１６の形状は、円形、角形等の他の形状にすることもできる。
【００３２】
（靴底の実施形態５）
本発明の靴底１の実施形態の他例を、図７（ａ）〜（ｃ）を参照して説明する。図７（ａ）〜（ｃ）の靴底１はその踏み付け部３の肉厚を、靴幅外側８から靴幅内側９に向けて次第に肉薄にして屈曲肉薄部１０とし、その屈曲肉薄部付近と踵部５の裏面に二以上の底突起１７が靴底底面１８より突出するように、靴底１と一体に成型されている。この場合、底突起１７を屈曲肉薄部付近１０付近に踏み付け部３の前後方向に間隔をあけて二以上設けて、それら底突起１７と底突起１７の間（周囲を含む）の空間部２１により屈曲部６を形成してある。この屈曲部６は歩行時に靴底１の靴幅内側９が靴幅外側８に比べて屈曲し易くなり、返りも良くなるため、あおり歩行し易くなって、歩行や走行がスムーズにできるようにしてある。
【００３３】
前記底突起１７は、靴幅外側８の底突起１７の肉厚よりも靴幅内側９の底突起１７の肉厚を厚くして、靴底１の内面１９から底突起１７の底面２０までの厚さＴ（図７（ｂ）（ｃ））を同じ（略同じを含む。）にして、底突起１７の底面２０が接地したとき、靴底１が靴幅外側８から靴幅内側９に傾斜することなく水平になるようにしてある。
【００３４】
図７（ａ）に示す底突起１７は底面視円形であるが、底突起１７はこれ以外の形状、例えば亀甲形、ダイヤ形などとすることもできる。いずれの形状の場合も、底突起１７の間（周り）に形成される屈曲部６（底突起１７の底面２０から靴底底面１８までの部分）を靴幅外側８から靴幅内側９に向けて次第に又は段階的に厚くなるようにして、靴幅内側９の方が靴幅外側８に比べて屈曲しやすくなるようにするのが好ましい。底突起１７は拇趾球接触部に向けて或いは拇趾球接触部の前後に設けて、その底突起１７の周囲に屈曲部６を形成することもできる。図６（ｂ）（ｃ）及び図７（ｂ）（ｃ）では屈曲部６の深さの違いを分かりやすくするため、図６（ｂ）（ｃ）では靴幅方向中央付近の十字状の内側突片１６の表記を、図７（ｂ）（ｃ）では靴幅方向中央付近の二つの底突起１７の表記を省略してある。
【００３５】
前記実施形態はいずれも、一枚の靴底に溝だけ又は穴だけを設けた場合であるが、本発明の靴底は、一枚の靴底に溝と穴の双方を設けることもできる。この場合は、一枚の靴底の少なくとも踏み付け部に、その前後方向に間隔をあけて、溝列と穴列を二列以上設け、溝列と穴列を一列置きに交互に設けるとか、数列置きに設けるとかすることもできる。
【００３６】
（靴の実施形態）
本発明の靴２２は、本底として本発明の靴底１を備えたものである。一例として図８（ａ）（ｂ）に示す靴２２は靴底１の上に甲革２３が取り付けられた紳士靴である。この実施形態では、紳士靴を一例として説明しているが、本発明の靴２２は紳士靴に限らず、運動靴や婦人靴等であってもよい。本発明の靴２２は本底として本発明の靴底１を用いていればよく、他の部材（例えば、化粧、月型芯、先芯など）には従来のものを用いることができる。靴２２はグッドイヤーウェルト製法、セメンテッド製法、マッケイ製法、ステッチダウン製法等のいずれの製法で製作されたものであってもよい。
【産業上の利用可能性】
【００３７】
本発明の靴底１は、紳士靴や運動靴、婦人靴のほか、長靴、サンダルといった各種履物の本底として用いることができる。また、本発明の靴底１は新規製作用の靴底として使用できることはもちろん、交換用（修理用）の靴底として用いることもできる。
【符号の説明】
【００３８】
１    靴底
２    足趾接触部
３    踏み付け部（前足部）
４    土踏まず部（中足部）
５    踵部（後足部）
６    屈曲部
７    溝
８    靴幅外側
９    靴幅内側
９ａ  靴幅内側面
１０  屈曲肉薄部
１１  横穴
１２  充填材
１３  突片（外側突片）
１４  溝
１５  （靴底の）外周面
１６  突片（内側突片）
１７  底突起
１８  靴底底面
１９  靴底の内面
２０  底突起の底面
２１  （底突起間の）空間部
２２  靴
２３  甲革
Ｔ    靴底の内面から底突起の底面までの厚さ
Ｌ１  靴幅外側の肉厚
Ｌ２  靴幅内側の肉厚
Ｌ３  穴の上の肉厚
Ｌ４  穴の下の肉厚
【図１】
2015100551.tif 000003
【図２】
2015100551.tif 000004
【図３】
2015100551.tif 000005
【図４】
2015100551.tif 000006
【図５】
2015100551.tif 000007
【図６】
2015100551.tif 000008
【図７】
2015100551.tif 000009
【図８】
2015100551.tif 000010
【図９】
2015100551.tif 000011